(57)【特許請求の範囲】
【請求項１】
併用することで水に対して白濁又は半透明な分散状態のミセルを形成する２種以上の界面活性剤と、前記界面活性剤夫々が有する疎水性ユニットの疎水性よりも低い疎水性のアルキル基を備え、水溶解基が水酸基のみである化合物と、で構成されるマイクロミセルを含有する水系インクであって、
前記２種以上の界面活性剤が、夫々の疎水性ユニットが同じ構造で、ＨＬＢが６以上１０未満の第１界面活性剤と、ＨＬＢが１０以上１５以下の第２界面活性剤と、を含み、かつ下記一般式（Ｉ）で示され、
前記界面活性剤夫々が有する疎水性ユニットの疎水性よりも低い疎水性のアルキル基を備え、水溶解基が水酸基のみである化合物が、下記一般式（III）で示されることを特徴とする水系インク。
0004804146.tif 000023
（上記一般式（Ｉ）において、Ａ及びＢは夫々独立して、水素原子、及び下記一般式（IIA）及び（IIB）から選択され、ＸAは、ＣnＨ2n+1（ｎは、１〜１０の整数）を、ＸBは、ＣmＨ2m+1（ｍは、１〜１０の整数）を表す。又、ＹAは、開環したエチレンオキサイドユニット及び／又は開環したプロピレンオキサイドユニットを表し、ａ及びｂは夫々独立して整数である。）
0004804146.tif 000024
0004804146.tif 000025
（上記一般式（III）において、Ｒ1、Ｒ2及びＲ3は、夫々独立に、水素原子、炭素数１〜１６のアルキル基を表わす。（Ｘ）、（Ｙ）及び（Ｚ）は、夫々独立に、ＯＨ、又はＤ−ＯＨを表わし、Ｄは、開環したエチレンオキサイド及び／又は開環したプロピレンオキサイドを表す。）
【請求項２】
更に色材を有する請求項１に記載の水系インク。
【請求項３】
前記色材が、水分散色材である請求項２に記載の水系インク。
【請求項４】
前記色材が、水可溶化基として遊離酸の状態でカルボキシル基を有する色材である請求項２に記載の水系インク。
【請求項５】
請求項１乃至４のいずれかに記載された水系インクを記録信号に応じてオリフィスよりインク滴として吐出させて被記録材に記録を行って記録物を得ることを特徴とするインクジェット記録方法。
【請求項６】
熱エネルギーを作用させて前記インク滴を吐出させる請求項５に記載のインクジェット記録方法。
【請求項７】
請求項１乃至４のいずれかに記載された水系インクを収納するインク収容部を備えたことを特徴とするインクカートリッジ。
【請求項８】
請求項１乃至４のいずれかに記載された水系インクを被記録材上に付与させて形成されたことを特徴とする記録物。
【発明の詳細な説明】
【技術分野】
【０００１】
本発明は、水系インク（以下インクともいう）、これを用いたインクジェット記録方法、該記録方法によって得られた記録物、及び、かかるインクを用いた機器類に関する。更に詳しくは、ＨＬＢが低い（例えば、インクに対し溶解性が非常に悪く、且つ含有されたインク保存状態で、分離や析出が発生する界面活性剤）ために、通常ではインクに使用出来ないか、或いは微量しか使用できなかった界面活性剤を、実用化する技術に関する。
【背景技術】
【０００２】
従来から、得られる記録物の画像品位や、インクの定着性及び信頼性の向上を目的として、筆記具等に用いられるインクや、インクジェット記録用インク等については、様々な検討や報告が行われている。例えば、記録物の定着性を向上させる方法として、水溶性インクに、水溶性のアルコールを含有させる方法、更には、疎水性の強い、例えば、セロソルブ等の水溶性有機溶剤を含有させる方法等が提案されている。しかしながら、上記した化合物を多くインク中に含有させると、定着性は向上するものの記録物の品位が低下するという問題がある。更に、上記した化合物の使用は、インクの引火性や、人体に対する安全性についての問題を生じる恐れがある。
【０００３】
これに対して、特開平５−１３２６４３号公報には、インク中に水溶性の界面活性剤を含有させることで、記録物の定着性を向上させる方法が提案されている。これらは、安全性に対しては良好な方向と言えるが、記録物の定着性を向上させるためにインク中における含有量を増やすと、インクの粘度が高くなってしまう。例えば、インクジェット記録方法に用いた場合は、インクの吐出性をはじめとする信頼性が低下してしまう。又、定着性の更なる向上のために界面活性剤を多量にインク中に添加すると、被記録材表面へのインクの広がりが生じ、得られる記録物の画像品位を損ねてしまう場合がある。
【０００４】
これに対し、特開平６−２５６６９６号公報および特開２００３−２５３５９９号公報には、親水性のある界面活性剤に疎水性の強い界面活性剤を併用することで、記録物の定着性を向上させる提案がなされている。ところが、インク中において、このような疎水性の強い界面活性剤を使用できる量は、極少量である。従って、従来の水溶性の界面活性剤を用いた方法に比べて、格段に定着性を向上させることはできていない。
【０００５】
又、特開平１１−７１５４３号公報、特開平８−１８３９２１号公報、特開平６−９９１１号公報、特開平６−２２０３７６号公報、特開平１０−１４００５８号公報、特開平５−１２５３１３号公報、特開平１０−２６５７２７号公報、特開平９−２７９０６７号公報、特開平９−２１７０３１号公報、特開平６−２５６６９６号公報、特開平１０−１３０５５１号公報および特開２００１−２６２０２６号公報に、疎水性の化合物をインク中に用いる方法について、種々の提案がされている。この中で、特開平１１−７１５４３号公報では、水不溶性エチレンオキシド、プロピレンオキシド油類、水不溶性アルコール、水不溶性アルデヒド等の水不溶性物質を安息香酸、キシレンスルホン酸等の酸又は塩類及びレゾルシン等を用いて、また必要に応じて、２−ピロリドン、グリコールエステル等の共溶媒を用いてを溶解させる提案がなされている。しかしながら上記提案では、水不溶性物を酸又は塩類、エステル化合物、極性化合物を用いているため、人体の安全性に対し余り好ましくなかったり、インクの接触部材に対し部材からの内添物の溶質等を生じインクの安定性、信頼性に対しあまり好ましくない効果も生じてくる。更に、酸又はその塩類を多量に用いると、インク中や、例えば、インクジェット記録方法では、インク吐出孔周りに析出が発生しやすくなり、インク及び記録を行う際に信頼性を低下させる。特にインクジェット記録においては、吐出のインク滴が小さいため、影響が大きくなる場合がある。
【発明の開示】
【０００６】
上記特開平６−２５６６９６号公報および特開２００３−２５３５９９号公報の場合を更に検討すると、水に対して疎水性の強い界面活性剤と類似の界面活性剤とを併用させた場合は、インクの環境変化、例えば、温度等の変化により、疎水性の強い界面活性剤がインクから分離し易くなるという問題もある。これは、水に対して疎水性の強い界面活性剤は、親水性である他の界面活性剤との間でミセルをつくることで、見かけ上、インク中に溶解されているが、このような系の曇点は、併用されている親水性のある界面活性剤のみを使用していた場合よりも低くなる。即ち、疎水性の強い界面活性剤の使用によって界面活性剤の不安定温度環境が低温から生じ、インク中で疎水性の強い界面活性剤の分離、又、インクの接する部材等への付着等の発生が生じやすくなり信頼性安定性を低下させてしまう。
【０００７】
加えて、近年、記録技術の高速化により、定着性の更なる向上を示すインクの用途は多方面に拡大する状況にあり、インクの安定性や信頼性に優れ、しかも、画像品位に優れた記録物を安定して得ることのできるインク及びインクジェット記録方法の開発が待望されている。
【０００８】
従って、本発明の目的は、上記課題を解決し、記録物の定着性が更に良好で、インクの安定性及び信頼性にも優れ、しかも、画像品位に優れる記録物を安定して得ることのできるインク、インクジェット記録方法、かかるインクを用いた機器を提供することである。
【０００９】
本発明の他の目的は、ＨＬＢが低い（例えば、インクに対し溶解性が非常に悪く、且つ含有されたインク保存状態で、分離や析出が発生する）界面活性剤の多量使用を可能にする技術を提供することにある。
【００１０】
本発明の更に別の目的は、被記録剤へのインク定着性を良好にする反面、インクに対し溶解安定性、又分散安定性が非常に悪く、従来あまり使用されていなかった界面活性剤を、インク中で安定に溶解又は分散させ且つ含有量をも増大でき、結果として、被記録材へのインク定着性を向上でき、得られた記録画像品位を良好にするインク、インクジェット記録方法、かかるインクを用いた機器を提供することである。
【００１１】
上記目的は以下の本発明によって達成される。即ち、本発明は、併用することで水に対して白濁又は半透明な分散状態のミセルを形成する２種以上の界面活性剤と、前記界面活性剤夫々が有する疎水性ユニットの疎水性よりも低い疎水性のアルキル基を備え、水溶解基が水酸基のみである化合物と、で構成されるマイクロミセルを含有する水系インクであって、前記２種以上の界面活性剤が、夫々の疎水性ユニットが同じ構造で、ＨＬＢが６以上１０未満の第１界面活性剤と、ＨＬＢが１０以上１５以下の第２界面活性剤と、を含み、かつ下記一般式（Ｉ）で示され、前記界面活性剤夫々が有する疎水性ユニットの疎水性よりも低い疎水性のアルキル基を備え、水溶解基が水酸基のみである化合物が、下記一般式（III）で示されることを特徴とする水系インクである。
0004804146.tif 000002
（上記一般式（Ｉ）において、Ａ及びＢは夫々独立して、水素原子、及び下記一般式（IIA）及び（IIB）から選択され、ＸAは、ＣnＨ2n+1（ｎは、１〜１０の整数）を、ＸBは、ＣmＨ2m+1（ｍは、１〜１０の整数）を表す。又、ＹAは、開環したエチレンオキサイドユニット及び／又は開環したプロピレンオキサイドユニットを表し、ａ及びｂは夫々独立して整数である。）
0004804146.tif 000003
0004804146.tif 000004
（上記一般式（III）において、Ｒ1、Ｒ2及びＲ3は、夫々独立に、水素原子、炭素数１〜１６のアルキル基を表わす。（Ｘ）、（Ｙ）及び（Ｚ）は、夫々独立に、ＯＨ、又はＤ−ＯＨを表わし、Ｄは、開環したエチレンオキサイド及び／又は開環したプロピレンオキサイドを表す。）
この本発明によれば、従来行われていた、溶解性の良好な界面活性剤をインクに添加する方法と異なり、インク中に溶解性の悪い界面活性剤をマイクロミセル形態で、あたかも溶解している様に安定に分散させることにより、前記マイクロミセルを含有した水系インクは、記録物の定着性が格段に良好になり、更に、インクの安定性及び信頼性が更に優れ、しかも、画像品位に優れる記録物を安定して得ることのできるインク、インクジェット記録方法、及びかかるインクを用いた機器類を提供することができる。
【００１２】
前記２種以上の界面活性剤は、夫々の疎水基からなるユニットが同じ構造で、ＨＬＢが６以上１０未満の第１界面活性剤とＨＬＢが１０以上１５以下の第２界面活性剤と、を有することで、上記インクをより透明なマイクロミセルを形成できるので好ましい。この２種以上の界面活性剤は、末端に水酸基を有するエチレンオキサイドを水溶性基としている界面活性剤であることで、優れた浸透性を得ることができるので更に好ましい。無論、このインクには色材を含むことで、優れた色材画像を形成できる。最も好ましい発明は、少なくとも夫々の疎水基からなるユニットが同じ構造で、ＨＬＢが６以上１０未満の第１界面活性剤とＨＬＢが１０以上１５以下の第２界面活性剤と、前記疎水基からなるユニットとは異なり、前記ユニットよりも低い疎水性の疎水基と水酸基のみからなる親水部を持つ化合物と、を有し、前記第１、２界面活性剤と前記化合物とを含むマイクロミセルを有していることを特徴とする水系インクである。
【００１３】
本発明は、従来では使用が困難な不溶性、或いはＨＬＢが小さい界面活性剤をマイクロミセル化することで利用可能にし、環境温度変化、もしくは熱エネルギーを利用するインクジェット吐出方式に有効に利用でき、その界面活性剤が画像化もしくは紙面上で単独挙動を示すことで得られる定着性向上等の利点をも得ることができる。
【発明を実施するための最良の形態】
【００１４】
次に、好ましい発明の実施の形態を挙げて、本発明をより詳細に説明する。本発明者等は、記録物の定着性を向上させ、且つ、インクの安定性及び信頼性が良好で、しかも良好な品位の記録物が得られるインクを開発するために、多種多様なメカニズムを考え、更に、多種多様な色材やインク組成について検討及び確認を行ってきた。その結果、従来では考えられてこなかったインクの構成成分として、疎水性成分が、ある条件下で、水に対して白濁又は半透明な分散状態になる２種以上の界面活性剤に、アルキル基を有し且つ水溶解基が水酸基のみである化合物を組み合わせることで、水に対してあたかも溶解しているがごとく透明な単一相に分散し、更に、熱によって分散性が影響を受けにくいマイクロミセルが形成されることを知見した。また、前記マイクロミセルを水系インク中に用いると、記録物品位が良好で、インクが安定であり、更に、得られる記録物の定着性が良好なものになる、という新たな事実にたどりつき本発明に至った。
【００１５】
即ち、水に対して分散するマイクロミセルを含む水系インクであって、前記マイクロミセルが、水に対して白濁又は半透明な分散状態になる２種以上の界面活性剤と、アルキル基を有し且つ水溶解基が水酸基のみである化合物と、から成るマイクロミセルであることを特徴とする水系インクを用いると、被記録材上にインクを付与した場合に、インクの定着性及び得られる記録物の品位が良好で、且つ、インク及び記録物の安定性及び信頼性に優れ、更に、かかるインクは、インクジェット記録に用いた場合に、特に良好な結果を示すことがわかった。加えて、上記の構成を有する本発明にかかるインクは、特に、記録物の定着性向上とインクの信頼性という観点から捉えた場合に、従来のインクを用いた場合と比べて格段に向上することがわかった。
【００１６】
本発明で使用する「マイクロミセル」とは、水不溶性化合物を、界面活性剤特有のミセル形成の特性を利用することで、水相に添加された水不溶性化合物が、気液界面に浮いたり、底に沈殿したりせずに、あたかも水相中に溶解しているがごとく透明なミセルの形成分散し、且つ、熱によるミセル形成の崩壊が生じにくいミセルのことである。また、前記マイクロミセルは、色材と反応性は有せず、インク等の液媒体中では、実質的には、単独で存在するものである。
【００１７】
このマイクロミセルは、一般的な樹脂成分により水不溶性化合物を透明に分散させるマイクロエマルジョン、及び水不溶性化合物を界面活性剤でミセル分散させるものとは異なる。即ち、上記マイクロエマルジョンやミセル分散は、水不溶性化合物を水にあたかも溶解している様に分散させるが、熱による安定性は悪く、故に熱エネルギーをインクに作用させて記録を行うインクジェット記録方法には好ましくない。又また、水不溶性化合物の量にミセル分散させるための界面活性剤量が比例しているため、水不溶性化合物を多く必要とする場合、前記界面活性剤も多くなってしまい、ミセルが巨大化したり、乳化状態になり、インクに用いた場合、インクの粘度の増加、表面張力の低下引き起こし安くなり、インクジェット記録に用いた場合、インクの吐出性を悪化させる場合が多々ある。
【００１８】
これに対して、本発明の、水に対して分散するマイクロミセルを含む水系インクであって、前記マイクロミセルが、併用することで、水に対して白濁又は半透明な分散状態になる２種以上の界面活性剤と、アルキル基を有し且つ水溶解基が水酸基のみである化合物と、から成るマイクロミセルであることを特徴とする水系インクは、紙面上での定着、浸透性が良好で、熱による安定性も良好である。また、ミセルの巨大化や乳化状態を形成しないため、マイクロミセルを用いたインクを、インクジェット記録に用いても吐出性等に対し問題を引き起こさない。以下に、本発明を説明する。先ず、一般的に記録物の定着性向上を目的として浸透剤として、界面活性剤をインクの安定性や信頼性の面から良好な溶解性を得ることを重要視した場合は、親水性の強い化合物を使用するため、格段に良好な定着性を得ることはできない。一方、定着性を最重要視した場合は、疎水性の強い化合物を用いることになり、これによって格段に良好な定着性を得ることができるが、インク中で疎水性の強い化合物が沈殿や分離を生じてしまい、インクの信頼性や、安定性は低下してしまう。
【００１９】
このような現状に対して、本発明者らは、被記録材について、又、世の中にある多種多様の化合物、インクについて再度考察、詳細な検討を重ねた。その結果、例えば、コピー紙等の普通紙表面は、記録物の画像品位向上のために疎水性を持たせており、水溶性インクを使用した場合に、水溶液の浸透が制御されるように構成されている。本発明者らは、以上のことから、良好なインクの定着性を達成するためには、水系インク中に疎水性の強い化合物を含有させることで、被記録材表面の疎水性部分を親水化する必要があるとの結論に達した。
【００２０】
しかしながら、通常、疎水性の強い化合物を水系インクに添加すると、疎水性が強まれば強まるほどインク中で不安定になり、分離してしまうことが生じる。又、疎水性の強い化合物を、親水性の強い化合物と併用することでミセル化し、可溶化する方法もあるが、ミセルを取り巻く水分子は、温度上昇等によりミセルとの結びつきが弱まってしまうため、ミセルが安定性を保つために巨大化したり、又は、安定性のために疎水性の強い化合物と分離してしまい、この結果、インクの信頼性の低下や、浸透性の低下を招く。
【００２１】
そこで、本発明者らは、疎水性の強い化合物を、親水性の強い化合物と併用することで形成されるミセルについて、ミセルの水溶液中での状態や、水への溶解或いは分散に寄与する各官能基について、再度、検討及び考察を行った結果、以下のことがわかった。
（１）ミセルとは、疎水部分を基点に複数の化合物が集まり、親水部分が水分子と水素結合を行い、水に溶解、分散しているものである。
（２）通常、疎水部分と親水部分とが、類似構造を有するものの方がミセルを造り易い。
（３）親水部分は、温度上昇等によって水和力が弱まると、ミセルの溶解、分散が一気に壊れたり、ミセルが安定化のために巨大化する。
（４）通常、用いられている水和基は、エチレンオキサイドを用いている。
そして、以上に列挙した事柄を、多角的な観点から再度検討した結果、本発明のインクの構成に至った。
【００２２】
本発明者らは、本発明にかかる水系インクは、下記に説明するような具体的なメカニズムによって、水系インクの安定性及び信頼性、更には、得られる記録物の定着性が良好なものになるものと予想している。一般に、疎水性の強い化合物を、親水性の強い化合物と共に用いることでミセル化し、可溶化する方法の場合、図１及び図２のようになると想像している。しかしながら、例えば、この系の温度が上昇していくと、図３及び図４のように、ミセルを取り巻いていた水分子とミセルとの結合が弱まり、ミセルを維持し難くなり、図５及び図６に示したように、引き付ける水分子の数を増やすためにミセルが巨大化したり［図６参照］、疎水性の強い化合物を分離させることで安定性を保つ［図５参照］。これに対して、本発明のインクの構成によれば、図７に示したように、親水性基を水酸基のみとする低疎水性の化合物を、ボールにペレットを打ち込むようにした構成のミセルが得られ、ミセルの有する親水性基の密度を高くなり、安定で、温度変化にも強いマイクロミセルが形成されるものと予想している。
【００２３】
又、良好な定着性に対しては、図８のように、例えば、印字品位を良好にするために表面を疎水性にしているコピー紙等にインクが付着されると、水に対して白濁又は半透明な分散状態になる２種以上で組み合わされた界面活性剤が、コピー紙の疎水部分に積極的に付着することで、インクの浸透方向を親水化することで、良好な定着が得られるのではないかと予想している。一方、図中のインク水滴中に透明に溶解しているマイクロミセル状態の界面活性剤は、水との親和性が強いため、コピー紙の疎水部分に付着し難く、次のインク水滴中にある色材の定着性に貢献できる状態にある。
【００２４】
更に、良好な記録画像品位に対しては、水に透明に溶解している界面活性剤又は界面活性剤の組み合わせは、界面活性剤の疎水部への付着性のバラツキにより図９に示したようにインクが紙面上で不規則に滲むのに対し、本発明のインクは、図１０に示したように、インクが、被記録材面に付与されると、併用することでインク中の水に対して白濁又は半透明な分散状態になる２種以上で組み合わされた界面活性剤が、被記録材面及び内部の疎水部に積極的に付着していくために、ばらつきのない均一に近い滲みを発生させるだけでなく、空隙のある被記録材内部に対しても浸透を促進させることで、インクの浸透を良好にさせて、被記録材表面で形成される記録品位を良好にするものと考えられる。
【００２５】
本発明のインクを構成する水に対して白濁又は半透明な分散状態になる２種以上の界面活性剤が、疎水基が同じ構造である水不溶性の第１の界面活性剤とＨＬＢが１０以上の第２の界面活性剤の組み合わせであると、インク中の他の成分による影響を受けたり、或いは与えたりし難いため本発明の効果が良好に発現する。又、このような組み合わせにおいて、また、水に対して白濁又は半透明な分散状態になる２種以上の界面活性剤が、ノニオン性界面活性剤で構成されていても、インク中の他の成分による影響を受けたり、或いは与えたりし難いため、より好ましい。
【００２６】
又、水に対して白濁又は半透明な分散状態になる２種以上の界面活性剤の組み合わせと、アルキル基を有し且つ水溶解基が水酸基のみである化合物との組み合わせ等を含む本発明のインクから、色材成分を除いてクリアーインク状態が、白濁又は半透明な分散状態にならず、透明であることが好ましい。このような状態は、水に対して白濁又は半透明な分散状態になる２種以上の界面活性剤とアルキル基を有し且つ水溶解基が水酸基のみである化合物の組み合わせにより形成される集合体が、マイクロミセル状態であることを意味しており、かかる状態は、温度等の外的要因に対して非常に安定で強固なミセル状態であるので、本発明のインクは、信頼性が向上するばかりでなく、先に述べた種々の効果が良好に発現されたものとなる。
【００２７】
更には、水に対して白濁又は半透明な分散状態になる２種以上の界面活性剤と、アルキル基を有し且つ水溶解基が水酸基のみである化合物との組み合わせに於いて、インク中に用いられる含有量に調整された混合水溶液が透明であると、インク中で分離、析出が発生しにくく、インクの安定性を得やすいため好ましい。
【００２８】
本発明者らの更なる検討によれば、水に対して白濁又は半透明な分散状態になる２種以上の界面活性剤の組み合わせが、疎水基が同じ構造である水不溶性の第１の界面活性剤とＨＬＢが１０以上の第２界面活性剤との組み合わせにおいて、界面活性剤の組み合わせが、ＨＬＢの値が１０であるか否かを境界条件とすることが、本発明の効果の発現をより良好にすることがわかった。更には、ＨＬＢが１０以上１３以下の化合物と、ＨＬＢが６以上１０未満の化合物を組み合わせることが特に有効である。又、ＨＬＢが１０以上のものの曇点が５０℃以上であるものを使用することも、効果を良好にする。
【００２９】
また、疎水基が同じ構造である水不溶性の第１界面活性剤とＨＬＢが１０以上の第２界面活性剤の組み合わせで、前記界面活性剤の構造中に、不飽和基を有していると、マイクロミセル形成を良好に形成しやすく、特にアセチレン結合基を有している界面活性剤を使用することが好ましい。
【００３０】
又、組み合わされる界面活性剤の親水性ユニットが、開環したエチレンオキサイド、又は開環したエチレンオキサイドと開環したプロピレンオキサイドの組み合わせで構成されている界面活性剤を使用することが、インクの安定性を容易に発現させる上では好ましい。特に末端に水酸基を有するエチレンオキサイドを水溶性基として有するものが好ましい。
【００３１】
更に、好ましい界面活性剤としては、下記に示した一般式（Ｉ）を満足する化合物であること好ましい。
【００３２】
0004804146.tif 000005
（上記一般式（Ｉ）において、Ａ及びＢは夫々独立して、水素原子、及び下記一般式（IIA）及び（IIB）から選択され、ＸAは、ＣnＨ2n+1（ｎは、１〜１０の整数）を、ＸBは、ＣmＨ2m+1（ｍは、１〜１０の整数）を表す。又、ＹA及びＹBは、開環したエチレンオキサイドユニット及び／又は開環したプロピレンオキサイドユニットを表し、ａ及びｂは夫々独立して整数である。）
【００３３】
0004804146.tif 000006
【００３４】
上記一般式（Ｉ）中のＡとＢが同じものからなる構造のものを使用することも好ましい形態の一つである。更に、一般式（Ｉ）中の、ＣnＨ2n+1において、ｎが５〜７のいずれかの整数からなるものを使用することも好ましい。
【００３５】
次に、アルキル基を有し且つ水溶解基が水酸基のみである化合物の構造が下記の一般式（III）で示される化合物を使用すれば、本発明の効果が容易に奏される。
【００３６】
0004804146.tif 000007
（上記一般式（III）において、Ｒ1、Ｒ2及びＲ3は、夫々独立に、水素原子、炭素数１〜１６のアルキル基を表わす。（Ｘ）、（Ｙ）及び（Ｚ）は、夫々独立に、ＯＨ、又はＤ−ＯＨを表わし、Ｄは、開環したエチレンオキサイド及び／又は開環したプロピレンオキサイドを表す。）
【００３７】
又、上記一般式（III）で示される構造を有する化合物が水溶性であることも好ましい。上記一般式（III）において、（Ｘ）、（Ｙ）及び（Ｚ）がＯＨであることが、信頼性の点で特に好ましい。又、一般式（III）において、Ｒ1及びＲ3が水素原子であることも、安定な集合体を形成する上で特に好ましい。疎水基が同じ構造である水不溶性の第１界面活性剤及びＨＬＢが１０以上の第２界面活性剤の疎水性ユニットとの組み合わせとアルキル基を有し且つ水溶解基が水酸基のみである化合物との組み合わせにおいて、疎水基が同じ構造である水不溶性の第１の界面活性剤とＨＬＢが１０以上の第２の界面活性剤と、アルキル基を有し且つ水溶解基が水酸基のみである化合物の疎水性ユニットとが異なっていると、本発明の効果をより良好にする。これらの疎水性ユニットが異なること及び化合物の親水部が水酸基のみのであることで、安定性が向上する。集合体の親水性の密度が高くなるためではないかと予想している。この化合物の親水部が水酸基のみであることは、マイクロミセルの分散安定化を向上する要因となっている。
【００３８】
本発明の水系インクは、更に、色材を溶解又は分散状態で含有される。上記でいう溶解又は分散状態の色材としては、例えば、化合物や色材自身が水に溶解・分散するもの（例えば、染料や親水性基を有する顔料）、及び色材を内包、含有したカプセルかしたものをさす。但し、顔料分散のような、樹脂等を分散剤として用いて色材を分散させる手法はあてはまらない。このタイプは、インク中に樹脂が分散されたような状態になるため、前記したメカニズムの効果が出にくいだけでなく、インクの信頼性に対してもあまり好ましい選択とは言えないからである。以下、上記したような液媒体中での色材の状態を、断りのない限り全て「溶解」と表現する。
【００３９】
本発明のインク中に含有させる色材としては、水可溶解基が化学的反応で結合している分散色材がインクの安定性の面から好ましい。水可溶解基が化学的反応で結合していないもの、例えば水可溶解基を有する高分子分散剤が物理的吸着しているものは、界面活性剤の影響で剥がれてしまう可能性が大きいからである。
【００４０】
又、本発明の水系インク水溶解色材を用いてもよいが、状況によって、水分散色材ほど効果が見られないこともある。その場合、被記録材に直接染着する色材（直接染料等）を用いる事、又は、構造中にアゾ基を有している色材を用いても良い。
【００４１】
又、カルボキシル基又はその塩の基を親水性基として有している構造の色材を用いることが好ましい。更には、色材の親水性基としてカルボキシル基又はその塩の基のみを有する色材を用いることが好ましい。特に、カルボキシル基は、スルホン基に比べて水との親和力が弱いため、カルボキシル基を有する色材を用いることで、本発明の水系インクの効果を良好に発現できる。
【００４２】
色材としては、具体的には、例えば、ダイレクトブラック１６８、ダイレクトブラック１５４等の、直接性の強いジス又はトリスアゾ色材、ダイレクトイエロー１４２、ダイレクトイエロー８６、ダイレクトレッド２２７、ダイレクトレッド８０等の二量体構造の色材、ダイレクトブルー１９９等の含金属色材、及び、下記に示すような、遊離酸の形で一般式（Ａ）〜（Ｃ）で示される色材が挙げられるが、これらに限定されるものではない。
【００４３】
遊離酸の形で下記一般式（Ａ）で表わされる色材：
0004804146.tif 000008
［一般式（Ａ）中、Ｐｃは含金属フタロシアニン核、Ｒ1、Ｒ2及びＲ3は各々独立に、Ｈ、アルキル基、置換アルキル基、アルケニル基、置換アルケニル基、アラルキル基又は置換アラルキル基を表す。Ｌは２価の有機連結基を表す。Ｘは、夫々独立に、カルボニル基又は下記（２）〜（４）式で示される基を表す。
0004804146.tif 000009
（上記（２）〜（４）式中の各Ｚは夫々独立に、ＮＲ4Ｒ5、ＳＲ6又はＯＲ6を表し、（３）式中のＹは、Ｈ、Ｃｌ、上記Ｚ、ＳＲ7又はＯＲ7を表し、（４）式中のＥは、Ｃｌ又はＣＮを表す。Ｒ4、Ｒ5、Ｒ6及びＲ7は各々独立に、Ｈ、アルキル基、置換アルキル基、アリール基、置換アリール基、アラルキル基又は置換アラルキル基を表し、Ｒ4及びＲ5は、窒素原子と共に５又は６員環を形成する。）Ｇは、１又は２個のＣＯＳＨ又はＣＯＯＨで置換された無色有機残基を表し、ｔ＋ｑは３又は４である。］
【００４４】
遊離酸の形で下記一般式（Ｂ）で表わされる色材：
0004804146.tif 000010
［上記一般式（Ｂ）式中、Ｊは下記式を表す。
0004804146.tif 000011
一般式（Ａ）中、Ａｒ1及びＡｒ2は、各々独立に、アリール基又は置換アリール基であって、Ａｒ1とＡｒ2の少なくとも１つが独立にＣＯＯＨとＣＯＳＨから選ばれる置換基を１個以上有する。Ｒ1及びＲ2は独立に、Ｈ、アルキル基、置換アルキル基、アルケニル基又は置換アルケニル基を表し、Ｌは２価の有機連結基を表し、ｎは０又は１を表す。Ｘは夫々独立に、カルボニル基、又は下記（２）、（３）又は（４）式で示される基を表す。
0004804146.tif 000012
（上記（２）〜（４）式中のＺは夫々独立に、ＮＲ3Ｒ4、ＳＲ5又はＯＲ5を表し、（３）式中のＹは夫々独立に、Ｈ、Ｃｌ、上記のＺ、ＳＲ6又はＯＲ6を表し、（４）式中のＥは夫々独立に、Ｃｌ又はＣＮを表す。Ｒ3、Ｒ4、Ｒ5及びＲ6は夫々独立に、Ｈ、アルキル基、置換アルキル基、アルケニル基、置換アルケニル基、アリール基、置換アリール基、アラルキル基、置換アラルキル基を表し、Ｒ3又はＲ4は窒素原子と共に５又は６員環を形成する。）又、一般式（Ｂ）で表される化合物は、少なくともＳＯ3Ｈと同数のＣＯＯＨ又はＣＯＳＨから選ばれた基を有する。］
【００４５】
遊離酸の形で下記一般式（Ｃ）で表わされる色材：
0004804146.tif 000013
［上記一般式（Ｃ）中、Ａｒ及びＡｒ1は夫々独立に、アリール基又は置換アリール基を示し、Ａｒ及びＡｒ1の少なくとも１つは、スルホン基、カルボキシル基及びチオカルボキシル基からなる群から選ばれる置換基を有する。Ｊ及びＪ1は夫々独立に、下記一般式（２）、（３）又は（４）で示される。
0004804146.tif 000014
（上記式（２）中、Ｒ5は、独立に、水素原子、アルキル基、置換アルキル基、アルコキシ基、ハロゲン原子、ＣＮ、ウレイド基及びＮＨＣＯＲ6から選択される。該Ｒ6は、水素原子、アルキル基、置換アルキル基、アリール基、置換アリール基、アラルキル基及び置換アラルキル基から選択される。式（３）中、Ｔは、アルキル基を示し、Ｗは、水素原子、ＣＮ、ＣＯＮＲ10Ｒ11、ピリジウム基及びカルボキシル基から選択される。Ｒ10及びＲ11は夫々独立に、水素原子、アルキル及び置換アルキル基から選択される。ｍは、炭素数２〜８のアルキレン鎖を示し、式（４）中、Ｂは、水素原子、アルキル基及びカルボキシル基から選択される。
又、式（Ｃ）中の、Ｒ1、Ｒ2、Ｒ3及びＲ4は夫々独立に、水素原子、アルキル及び置換アルキル基から選択され、Ｌは、２価の有機結合基を示し、ｎは、０又は１を示し、Ｘは独立に、カルボニル基又は下記一般式（５）、（６）又は（７）で示される。
0004804146.tif 000015
（上記式（５）〜（７）中、Ｚは、ＯＲ7、ＳＲ7及びＮＲ8Ｒ9から選択され、Ｙは、水素原子、Ｃｌ、ＣＮ及びＺから選択され、Ｅは、Ｃｌ及びＣＮから選択される。Ｒ7、Ｒ8及びＲ9は夫々独立に、水素原子、アルケニル基、置換アルケニル基、アルキル基、置換アルキル基、アリール基、置換アリール基、アラルキル基又は置換アラルキル基を示し、更に、Ｒ8又はＲ9は、これらが結合された窒素原子と共に５又は６員環を形成する場合もある。）
且つ、一般式（Ｃ）の化合物がスルホン基をもたない場合は、少なくとも２個のカルボキシル基及びチオカルボキシル基から選ばれる基を有し、一般式（Ｃ）の化合物は、スルホン基と少なくともスルホン基と同数のカルボキシル基及びチオカルボキシル基から選ばれる基を有する。］
【００４６】
上記のような色材の使用量については特に制限されないが、一般的には、インクの全質量に対して０．１〜１５質量％の範囲が好適で、より好適には０．１〜１０質量％である。
【００４７】
インクの安定性の面から、本発明の水系インクは、更に、インク中に一価アルコールが併用されているものであることが好ましい。一価アルコールは、例えば、ガソリンの水抜きのように、水と油を混合する効果を有している。このことは、先に説明したメカニズムを発現させる際のインクの安定性の面から、一価アルコールがインクに併用されている形態が好ましいものであることを示している。更に、一価アルコールは、被記録材上にインクを付与した場合に、蒸発や、被記録材中への浸透に対して良好な効果があるため、本発明の効果をより良好に発現させるものとして有効である。一価アルコールの本発明のインク中への含有量としては、インク全質量に対して０．１〜２０質量％、好ましくは、０．５〜１０質量％である。本発明のインク成分として使用することのできる一価アルコールの具体例としては、例えば、エタノール、イソプロピルアルコール及びｎ−ブタノール等が挙げられる。
【００４８】
更に、本発明の水系インクは、保水剤が併用されていてもよい。保水剤としては、尿素及び尿素誘導体から選択される化合物を用いることが好ましい。尿素及び尿素誘導体をインク中に含有させると、インクの安定性が良好になる。更に、尿素及び尿素誘導体から選択される化合物は、溶剤助剤としての効果もあるので、インクの安定性に対しても好ましい。
【００４９】
更に、例えば、被記録材が上質紙等であった場合、上質紙の水分保水性により本発明の定着性向上の効果を発現し易くなる。即ち、被記録材中の水分が保持されることにより、インクと被記録材界面でのなじみ時間を早くさせることで、定着性を良好にするのではないかと予測している。
【００５０】
尿素誘導体としては、環状化合物ではない化合物が好ましく、例えば、尿素のアルキル誘導体及び尿素のエチレンオキサイド及び／又はプロピレンオキサイド付加物から選ばれた少なくとも１種、又は、上記誘導基の少なくとも２個で誘導された化合物から適宜に選択して用いることが好ましい。但し、インクを構成する各成分の量や種類によって選択は変わる。又、水溶性であるものを使用することが好ましい。上記使用量については特に制限されないが、一般的には、インクの全質量に対して０．１〜１５質量％の範囲で含有させることが好適であり、更には０．１〜１０質量％の範囲で含有させることが好適である。
【００５１】
本発明の水系インクは、必要に応じて、更に、水溶性有機溶剤、界面活性剤、防錆剤、防腐剤、防カビ剤、酸化防止剤、還元防止剤、蒸発促進剤、キレート化剤、水溶性ポリマー及びｐＨ調整剤等の種々の添加剤を含有してもよい。
【００５２】
本発明の水系インクに使用する液媒体としては、先に述べたように水を用いることが好ましいが、更に、水溶性有機溶剤を添加して水との混合物を用いることも好ましい。この際に用いることのできる具体的な水溶性有機溶剤の例としては、例えば、ジメチルホルムアミド、ジメチルアセトアミド等のアミド類；アセトン等のケトン類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオール、チオジグリコール、ヘキシレングリコール、ジエチレングリコール等のアルキレン基が２〜６個の炭素原子を含むアルキレングリコール類；グリセリン；エチレングリコールモノメチル（又はエチル）エーテル、ジエチレングリコールモノメチル（又はエチル）エーテル、トリエチレングリコールモノメチル（又はエチル）エーテル等の多価アルコールの低級アルキルエーテル類；Ｎ−メチル−２−ピロリドン、１，３−ジメチル−２−イミダゾリジノン、トリエタノールアミン、スルホラン、ジメチルサルフォキサイド、２−ピロリドン、ε−カプロラクタム等の環状アミド化合物及びスクシンイミド等のイミド化合物等が挙げられる。
【００５３】
又、使用する水溶性有機溶剤としては、溶解度パラメーターが、アルキル基を有し且つ水溶解基が水酸基のみであるの溶解度パラメーター値よりも大きいものを使用することが好ましい。このようにすれば、インク状態での気液界面を含めた安定性が好ましい方向になるからである。このような化合物として、上記の中でも特に、常温で液体であるグリコール化合物を使用することが好ましい。又、本発明のインクに含有させるこれらの水溶性有機溶剤の使用量については、特に限定されないが、一般的には、インク全質量に対して０．１〜１５質量％の範囲が好適であり、より好ましくは０．１〜１０質量％である。
【００５４】
上記したような水溶性有機溶剤の含有量は、一般には、インクの全質量に対して質量％で１％〜４０％が好ましく、より好ましくは３％〜３０％の範囲である。又、インク中の水の含有量は、３０〜９５質量％の範囲で使用される。３０質量％より少ないと色材の溶解性等が悪くなり、インクの粘度も高くなるため好ましくない。一方、水が９５質量％よりも多いと蒸発成分が多過ぎて、十分な固着特性を満足することができない。
【００５５】
本発明の水系インクは、表面張力が４０ｄｙｎ／ｃｍ（ｍＮ／ｍ）以下であることが好ましい。先に説明したメカニズムの発現のためには、例えば、液滴が記録後に広がりを有するものの方が、本発明の効果を発現するものとして好ましいからである。又、本発明のインクのｐＨは、インクの安定性の面から８以上であることが好ましい。
【００５６】
更に、本発明の水系インクは、先に列挙したような色材の有するイオン性親水基の対イオンとして、複数の対イオン成分を併有しているのが好ましい。例えば、複数のアルカリ金属イオンを併用する、又はアルカリ金属イオンとアンモニウムイオンとを併用することが好ましい。本発明のインクをインクジェット記録に用いた場合、両者が併用されていると、インクの安定性及びインクの吐出性が良好になる。アルカリ金属イオンとしては、Ｌｉ+、Ｎａ+及びＫ+等を挙げることができる。
【００５７】
以上のようにして構成される本発明の水系インクは、通常の文具用のインクとしても用いることができるが、インクジェット記録で用いられる際に、特に効果的である。インクジェット記録は、文具のように筆圧で被記録材に記録するのとは違い、インク滴を紙等の被記録材表面に着弾させて、インク滴自身の浸透、広がりで記録を行い記録される方式であり、インク滴の界面状態が記録品位に大きな影響を及ぼすからである。インクジェット記録方法としては、インクに力学的エネルギーを作用させて液滴を吐出する記録方法、及びインクに熱エネルギーを加えてインクの発泡により液滴を吐出するインクジェット記録方法があるが、本発明のインクは、特に、熱エネルギーによるインクの発泡現象によりインクを吐出させるタイプのインクジェット記録方法に適用する場合に好適であり、吐出が極めて安定となり、サテライトドットの発生等が生じないという特徴がある。但し、この場合には、インクの熱的な物性値（例えば、比熱、熱膨張係数、熱伝導率等）を調整する場合もある。
【００５８】
更に、本発明の水系インクは、インクジェット用ヘッドに対するマッチングを良好にする面から、インク自体の物性として２５℃における表面張力が３０〜４０ｄｙｎ／ｃｍ（ｍＮ／ｍ）、粘度が１５ｃＰ（ｍＰａ・ｓ）以下、好ましくは１０ｃＰ（ｍＰａ・ｓ）以下、より好ましくは５ｃＰ（ｍＰａ・ｓ）以下に調整されることが望ましい。従って、上記物性にインクを調整し、且つ、普通紙における記録を可能とするためには、本発明のインク中に含有される水分量としては５０質量％以上９８質量％以下、好ましくは６０質量％以上９５質量％以下とするのが好適である。
【００５９】
本発明の水系インクは、インクジェット吐出方式のヘッドに用いられ、又、そのインクが収納されているインク収納体（記録ユニット、インクカートリッジ等）としても、或いは、その充填用のインクとしても有効である。特に、本発明は、インクジェット記録方式の中でもバブルジェット（登録商標）方式の記録ヘッド、記録装置において、優れた効果をもたらすものである。
【００６０】
その代表的な構成や原理については、例えば、米国特許第４，７２３，１２９号明細書、同第４，７４０，７９６号明細書に開示されている基本的な原理を用いて行うものが好ましい。この方式は所謂オンデマンド型、コンティニュアス型のいずれにも適用可能であるが、特に、オンデマンド型の場合には、インクが保持されているシートや液路に対応して配置された電気熱変換体に、記録情報に対応していて核沸騰を超える急速な温度上昇を与える少なくとも一つの駆動信号を印加することによって、電気熱変換体に熱エネルギーを発生せしめ、記録ヘッドの熱作用面に膜沸騰させて、結果的にこの駆動信号に一対一対応して、インク内の気泡を形成できるので有効である。この気泡の成長、収縮により吐出用開口を介してインクを吐出させて、少なくとも一つの滴を形成する。この駆動信号をパルス形状とすると、即時適切に気泡の成長収縮が行なわれるので、特に応答性に優れたインクの吐出が達成でき、より好ましい。このパルス形状の駆動信号としては、米国特許第４，４６３，３５９号明細書、同第４，３４５，２６２号明細書に記載されているようなものが適している。尚、上記熱作用面の温度上昇率に関する発明の米国特許第４，３１３，１２４号明細書に記載されている条件を採用すると、更に優れた記録を行うことができる。
【００６１】
記録ヘッドの構成としては、上述の各明細書に開示されているような吐出口、液路、電気熱変換体の組み合わせ構成（直線状液流路又は直角液流路）の他に熱作用部が屈曲する領域に配置されている構成を開示する米国特許第４，５５８，３３３号明細書、米国特許第４，４５９，６００号明細書を用いた構成或いは、特許第２９６２８８０号公報、特許第３２４６９４９号公報、更には特開平１１−１８８８７０号公報に記載されている大気連通方式の吐出方式にも本発明は有効である。加えて、複数の電気熱変換体に対して、共通する吐出孔を電気熱変換体の吐出部とする構成（特開昭５９−１２３６７０号公報等）に対しても、本発明は有効である。更に、記録装置が記録できる最大記録媒体の幅に対応した長さを有するフルラインタイプの記録ヘッドとしては、上述した明細書に開示されているような複数記録ヘッドの組み合わせによって、その長さを満たす構成や一体的に形成された一個の記録ヘッドとしての構成のいずれでも良いが、本発明は、上述した効果を一層有効に発揮することができる。
【００６２】
加えて、装置本体に装着されることで、装置本体との電気的な接続や装置本体からのインクの供給が可能になる交換自在のチップタイプの記録ヘッド、或いは記録ヘッド自体に一体的に設けられたカートリッジタイプの記録ヘッドを用いた場合にも本発明は有効である。又、本発明は、適用される記録装置の構成として設けられる、記録ヘッドに対しての回復手段、予備的な補助手段等を付加することは本発明の効果を一層安定にできるので好ましいものである。これらを具体的に挙げれば、記録ヘッドに対してのキャピング手段、クリーニング手段、加圧或いは吸引手段、電気熱変換体或いはこれとは別の加熱素子或いはこれらの組み合わせによる予備加熱手段、記録とは別の吐出を行う予備吐出モードである。
【００６３】
以上、説明した本発明の好ましいインクジェット記録方法形態について、以下にまとめて示す。先ず、本発明の水系インクは、インク滴を記録信号に応じてオリフィスより吐出させて被記録材に記録を行って記録物を得るインクジェット記録方法において、前記インクが水に対して分散するマイクロミセルを含む水系インクであって、前記マイクロミセルが、水に対して白濁又は半透明な分散状態になる２種以上の界面活性剤と、アルキル基を有し且つ水溶解基が水酸基のみである化合物と、から成るマイクロミセルであることを特徴とする水系がポリアセテート、ポリオレフィンからなる群より選択された化合物により形成されているインク保持体やインク収容体に収められていることを特徴とするインクジェット記録方法であることが好ましい。また、特に好ましいのは、インク保持体やインク収容体はポリプロピレンで形成されているのが良い。
【００６４】
本発明の水系インク滴を記録信号に応じてオリフィスより吐出させて被記録材に記録を行って記録物を得るインクジェット記録方法は、インクとして、上記に挙げた好ましい形態を有する本発明のインクを用いることを特徴とする。本発明のインクジェット記録方法は、オリフィスより吐出させるためのインクに熱エネルギーを作用させて、インク滴を吐出させるタイプのものが好ましい。又、オリフィスより吐出させるインク滴が、５０ｎｇ以下、好ましくは、３５ｎｇ以下、更に好ましくは２５ｎｇ以下である方が、本発明の効果が一段と良好になる。ただし、被記録材、記録環境等による影響も大きいため、状況に応じて対処する必要がある。
【００６５】
又、本発明の好ましい別の形態としては、インクを収容したインク収容部、該インクをインク滴として吐出させるためのヘッド部を備えた記録ユニットであって、インクが、上記に挙げた好ましい形態を有する本発明のインクを少なくとも１種のインクであることを特徴とする記録ユニットが挙げられる。本発明の記録ユニットの好ましいものとしては、ヘッド部が、熱エネルギーを作用させてインク滴を吐出させる構成を有する形態のもの、インク収容部が、ポリオレフィンで形成されている形態のもの、インク収容部が、内部にインク保持体を有している形態のもの、該インク保持体が、ポリビニルアセテート及びポリオレフィンからなる群から選択された少なくとも１種で形成されている形態のものが挙げられる。
【００６６】
更に、本発明の記録ユニットの好ましいものとしては、インク保持体が、多孔質体である形態のもの、インク保持体が、多層構造体を有する形態のもの、該多層構造体の多層配列方向が、インク収容部のインク廃出方向に配列している形態のもの、インク保持体が、繊維集合体である形態のもの、該繊維集合体が、インク収容部のインク廃出方向に配列されている、又、これらのインク保持体が、インク収容部と接触面を有している形態のものが挙げられる。
【００６７】
又、本発明の好ましい別の形態としては、インクを収容したインク収容部を備えたインクカートリッジであって、インクが、上記に挙げた好ましい形態を有する本発明のインクを少なくとも１種のインクであることを特徴とするインクカートリッジが挙げられる。その好ましいものとしては、インク収容部が、ポリオレフィンで形成されている形態のもの、インク収容部が、内部にインク保持体を有している形態のもの、該インク保持体が、ポリビニルアセテート及びポリオレフィンからなる群から選択された少なくとも１種で形成されている形態のもの、インク保持体が、無機化合物のポリマーで構成されている形態のものが挙げられる。
【００６８】
更に、本発明の記録カートリッジの好ましいものとしては、インク保持体が、多孔質体である形態のもの、インク保持体が、多層構造体を有する形態のもの、該多層構造体の多層配列方向が、インク収容部のインク廃出方向に配列している形態のもの、インク保持体が、繊維集合体である形態のもの、該繊維集合体が、インク収容部のインク廃出方向に配列されている、又、これらのインク保持体が、インク収容部と接触面を有している形態のものが挙げられる。
【００６９】
又、本発明の好ましい別の形態としては、インクを収容したインク収容部と、該インクをインク滴として吐出させるためのヘッド部とを備えたインクジェット記録装置であって、インクが、上記に挙げた好ましい形態を有する本発明のインクを少なくとも１種のインクであることを特徴とするインクジェット記録装置が挙げられる。その好ましいものとしては、記録ユニットが、上記に挙げた本発明の記録ユニットの少なくとも１種の記録ユニットである形態のものが挙げられる。
【００７０】
更に、本発明の好ましい別の形態としては、インク滴を吐出させるための記録ユニット、インクを収容したインク収容部を有するインクカートリッジ、及び、該インクカートリッジから記録ヘッドにインクを供給するためのインク供給部を備えたインクジェット記録装置にであって、インクが、上記に挙げた好ましい形態を有する本発明のインクを少なくとも１種のインクであることを特徴とするインクジェット記録装置が挙げられる。その好ましいものとしては、記録ユニットが、上記に挙げた本発明の記録ユニットの少なくとも１種の記録ユニットである形態のもの、又、インクカートリッジが、上記に挙げた本発明のインクカートリッジの少なくとも１種のである形態のものインクジェット記録装置が挙げられる。
【００７１】
次に、実施例及び比較例を挙げて本発明を更に具体的に説明する。尚、文中、部及び％とあるものは、特に断りない限り質量基準である。
【００７２】
＜ブラック顔料分散体Ａの作成＞
表面積２３０ｍ2／ｇでＤＢＰ吸油量７０ｍｌ／１００ｇのカーボンブラック１０ｇと、ｐ−アミノ−Ｎ−安息香酸３．４１ｇと、純水７２ｇとをよく攪拌した後、硝酸１．６２ｇを滴下しながら７０℃で攪拌した。十分に攪拌した後、純水５ｇに対し亜硝酸ナトリウム１．０７ｇを溶解させたものを加え、更に１時間攪拌した。次に、得られたスラリーを濾紙（商品名；東洋濾紙Ｎｏ．２；アドバンティス社製）で濾過し、濾過した顔料粒子を十分に水洗した後、９０℃のオーブンで乾燥させ、更にこの顔料に純水を足して顔料濃度１０質量％の顔料水溶液（Ｂｋ顔料分散体Ａ）を作成した。以上の方法によりカーボンブラックの表面に下記化学式に示す基を導入した。
0004804146.tif 000016
【００７３】
＜ブラック顔料分散体Ｂの作成＞
５．３ｇの水に５ｇの濃塩酸を溶かした溶液を５℃においてアントラニル酸１．５８ｇを加えた。これにアイスバスで撹拌することにより常に１０℃以下に保たれた状態で、５℃の８．７ｇの水に１．７８ｇの亜硝酸ナトリウムを加えた溶液を加えた。これに更に１５分撹拌後、表面積が３２０ｍ2／ｇで、ＤＢＰ吸油量が１２０ｍｌ／１００ｇのカーボンブラック２０ｇを混合した状態のまま加え、更に１５分撹拌した。得られたスラリーを濾紙（商品名；東洋濾紙Ｎｏ．２；アドバンティス社製）で濾過し、濾過した顔料粒子を十分に水洗し、１１０℃のオーブンで乾燥させ、更にこの顔料に水を足して顔料濃度１０質量％の顔料水溶液を作成した。以上の方法によりカーボンブラックの表面に下記化学式に示す基を導入した。
0004804146.tif 000017
【００７４】
＜実施例１〜７、比較例１〜８＞
下記の表１に示す配合にて、実施例１〜７、及び比較例１〜８の各インクを作成した。その際、下記表１、表２に示す各成分を混合し、十分に攪拌して溶解及び／又は分散させた後、ポアサイズ０．１μｍのフロロポアフィルター（商品名：住友電工（株）製）にて加圧濾過し、夫々のインクを調製した。
【００７５】
表中のアルキル基を有し且つ水溶解基が水酸基のみである化合物としては、下記のものを用いた。また、表中の数値の単位は質量％である。
【００７６】
0004804146.tif 000018
【００７７】
0004804146.tif 000019
【００７８】
0004804146.tif 000020
【００７９】
＜評価＞
（クリアーインクの外観評価）
先ず、上記の表１及び表２に示した実施例１〜７及び比較例１〜８のインク組成から、夫々色材を除いたクリアーインクを作製した。次に、得られたクリアーインクを透明なガラス容器に移し、水温２５℃の環境下での外観を目視で観察し、下記の基準で評価した。
○：クリアーインクが濁っておらず、気液界面付近でも分離していなかった。又、吸光度計で測定しても吸収は認められなかった。
×：クリアーインクが濁っている、及び／又は気液界面付近で分離相が認められた。
【００８０】
（曇点の測定）
上記クリアーインクの外観評価で作製した透明なガラス容器に入ったインクを、水を満たしたウォーターバスに入れ、水温を２５℃から９５℃まで徐々に上げていき、その過程での曇点の発現状況を観察し、下記の基準で評価した。
○：曇点が観察されず。
△：昇温の過程でわずかな濁りが発現した。
×：昇温の過程で明確な濁りが発現した。
【００８１】
（定着性の評価１）
表１及び表２に示した組成の実施例１〜７及び比較例１〜８のインクを、インクジェットプリンターＢＪＦ８００（製品名：キヤノン（株）製）に搭載し、温度２５℃、湿度５５％の環境下で、市販のコピー紙に各種パターンを印字後、印字部分を手で擦った時の印字部分の汚れ具合を目視で観察し、下記の基準で評価した。
○：印字後０．２秒で印字部分の汚れがなかった。
△：印字後０．５秒で印字部分の汚れがなかった。
×：印字後１．０秒で印字部分の汚れがなかった。
××：印字後１．０秒で印字部分が汚れた。
【００８２】
（定着性の評価２）
表１及び表２に示した組成の実施例１〜７及び比較例１〜８のインクを、インクジェットプリンターＢＪＦ８００（製品名：キヤノン（株）製）に搭載し、温度３０℃、湿度８０％の高温高湿環境下で、市販のコピー紙に各種パターンを印字後、印字部分を手で擦った時の印字部分の汚れ具合を観察し、下記基準で評価した。
○：印字後０．２秒で印字部分の汚れがなかった。
△：印字後０．５秒で印字部分の汚れがなかった。
×：印字後１．０秒で印字部分の汚れがなかった。
××：印字後１．０秒で印字部分が汚れた。
【００８３】
（安定性の評価１）
表１及び表２に示した組成の実施例１〜７及び比較例１〜８のインクを、透明なガラス容器に移し、２５℃環境下で１ヶ月間放置し、下記基準で評価した。
○：沈殿物、浮遊物、色調の変化が見られなかった。
△：沈殿物及び／又は浮遊物が僅かに認められたが、色調の変化は見られなかった。
×：沈殿物及び／又は浮遊物が多く認められた。
【００８４】
（安定性の評価２）
表１及び表２に示した組成の実施例１〜７及び比較例１〜８のインクを、透明なガラス容器に移し、５℃環境下で１ヶ月間放置し、下記基準で評価した。
○：沈殿物、浮遊物、色調の変化が見られなかった。
△：沈殿物及び／又は浮遊物が僅かに認められたが、色調の変化が見られなかった。
×：沈殿物及び／又は浮遊物が多く認められた。
【００８５】
（安定性の評価３）
表１及び表２に示した組成の実施例１〜７及び比較例１〜８のインクを、透明なガラス容器に移し、６０℃環境下で１ヶ月間放置し、下記基準で評価した。
○：沈殿物、浮遊物、色調の変化が見られなかった。
△：沈殿物及び／又は浮遊物が僅かに認められたが、色調の変化が見られなかった。
×：沈殿物及び／又は浮遊物が多く認められた。
【００８６】
（吐出性の評価１）
表１及び表２に示した組成の実施例１〜７及び比較例１〜８のインクを、インクジェットプリンターＢＪＦ８００（製品名：キヤノン（株）製）に搭載し、実験室環境で、英数文字をインクカートリッジを使い切るまで連続印字し、下記基準で評価した。
○：印字に乱れがなく、最後まできれいに印字できた。
△：印字に若干の乱れが認められたが、その状態で、最後まで印字できた。
×：印字に乱れが認められ、最後まできれいな印字はできなかった。
【００８７】
（吐出性の評価２）
表１及び表２に示した組成の実施例１〜７及び比較例１〜８のインクを、インクジェットプリンターＢＪＦ８００（製品名：キヤノン（株）製）に搭載し、３０℃環境下で、英数文字をインクカートリッジを使い切るまで連続印字し、下記基準で評価した。
○：印字に乱れがなく、最後まできれいに印字できた。
△：印字に若干の乱れが認められたが、その状態で、最後まで印字できた。
×：印字に乱れが認められ、最後まできれいな印字はできなかった。
【００８８】
（吐出性の評価３）
表１及び表２に示した組成の実施例１〜７及び比較例１〜８のインクを、インクジェットプリンターＢＪＦ８００（製品名：キヤノン（株）製）に搭載し、１５℃環境下で、英数文字を連続印字し、下記基準で評価した。
○：印字に乱れがなく、最後まできれいに印字できた。
△：印字に若干の乱れが認められたが、最後まで印字することはできた。
×：印字に乱れが認められ、最後まで印字することはできなかった。
【００８９】
（放置後の吐出性の評価）
表１及び表２に示した組成の実施例１〜７及び比較例１〜８のインクを、インクジェットプリンターＢＪＦ８００（製品名：キヤノン（株）製）に搭載し、実験室環境下に１ヶ月間放置した後、英数文字を印字し、放置前の印字と比較して、下記基準で評価した。
○：印字に乱れがなく、きれいに印字でき、放置前と遜色なかった。
△：放置前と比べ、印字に若干の乱れが認められた。
×：放置前と比べ、印字に乱れが多数認められた。
【００９０】
（印字品位評価）
表１及び表２に示した組成の実施例１〜７及び比較例１〜８のインクを、インクジェットプリンターＢＪＦ６００（製品名：キヤノン（株）製）に搭載し、実験室環境下で、各種パターンを印字し、下記基準で評価した。
○：インクジェットプリンターＢＪＦ８００（製品名：キヤノン（株）製）用の正規品インクと比べ、遜色なかった。
△：インクジェットプリンターＢＪＦ８００（製品名：キヤノン（株）製）用の正規品インクと比べ、若干滲みが認められた。
×：インクジェットプリンターＢＪＦ８００（製品名：キヤノン（株）製）用の正規品インクと比べ、滲み度合い多かった。
【００９１】
（耐水性の評価）
表１及び表２に示した組成の実施例１〜７及び比較例１〜８のインクを、インクジェットプリンターＢＪＦ６００（製品名：キヤノン（株）製）に搭載し、実験室環境下で、各種パターンを印字し、印字後１時間放置後、水道水を印字面にかけ、印字面の汚れを下記基準で評価した。
○：印字面が汚れず、きれいなままであった。
△：印字面に若干の汚れが生じたが、判読に支障はなかった。
×：印字面が非常に汚れ、判読しづらかった。
【００９２】
0004804146.tif 000021
【００９３】
尚、実施例の曇点の評価は、マイクロミセルが形成されているか否かの判定にもなる。前述したように、ＨＬＢが１０以上１３以下の界面活性剤と、ＨＬＢが６以上１０未満の界面活性剤とを組み合わせた実施例１乃至６が更に好ましいことが表３から理解できる。
【００９４】
0004804146.tif 000022
【００９５】
尚、比較例の曇点は、クリアーインク状態で、既ににごった状態であるため、測定不要であるので、測定していない。
【００９６】
この出願は２００３年１２月１１日に出願された日本国特許出願第２００３−４１２８４８号からの優先権を主張するものであり、その内容を引用してこの出願の一部とするものである。
【図面の簡単な説明】
【００９７】
【図１】図１は界面活性剤がミセル化し、可溶化した状態の模式図である。
【図２】図２は界面活性剤がミセル化し、可溶化した状態の模式図である。
【図３】図３は界面活性剤がミセル化し、可溶化した状態で、温度が上昇し、水分子とミセルの結合か弱まった状態を表す模式図である。
【図４】図４は界面活性剤がミセル化し、可溶化した状態で、温度が上昇し、水分子とミセルの結合か弱まった状態を表す模式図である。
【図５】図５は界面活性剤によるミセルが巨大化した状態を表す模式図である。
【図６】図６は界面活性剤によるミセルが分離した状態を表す模式図である。
【図７】図７は本発明を表す模式図である。
【図８】図８は疎水性の強い化合物が、被記録材表面の疎水部に優先的に付着し、インクの浸透方向が親水化される機構の模式図である。
【図９】図９は従来のインクにおける、インクの被記録材への着弾後に、疎水性ユニット部が均一な面を形成しにくく、インクが不規則に滲むことの模式図である。
【図１０】図１０は本発明のインクにおける、インクの被記録材への着弾後に、疎水性ユニット部が均等な面を形成することにより、インクが均一に滲むことの模式図である。
【図１】
0004804146.tif 000026
【図２】
0004804146.tif 000027
【図３】
0004804146.tif 000028
【図４】
0004804146.tif 000029
【図５】
0004804146.tif 000030
【図６】
0004804146.tif 000031
【図７】
0004804146.tif 000032
【図８】
0004804146.tif 000033
【図９】
0004804146.tif 000034
【図１０】
0004804146.tif 000035